(57)【特許請求の範囲】
【請求項１】
外観意匠面を構成する筐体カバーと、
前記筐体カバーに覆われ、シートに画像を形成するプリンタ部と、
前記筐体カバーの鉛直方向上面側に設けられ、当該上面から鉛直方向下方側に窪むとともに画像が形成されたシートが排出される排出部であって、排出されるシートの排出方向及び当該シートの厚み方向と直交する幅方向において、空間を隔てて互いに対向した第１壁部及び第２壁部を有する排出部と、
前記排出部より前記排出方向下流側に設けられ、原稿が載置可能な原稿台及び当該原稿台に載置された原稿を読み取る撮像部を有するスキャナ部と、
前記排出部の前記第１壁部及び前記第２壁部より前記排出方向下流側に設けられ、前記原稿台を鉛直方向上側から覆う第１位置と当該第１位置からずれた第２位置との間で揺動可能な原稿カバーであって、前記第１位置にあるときには、鉛直方向上面が前記排出部から排出されたシートが載置可能な状態となる原稿カバーと、
前記原稿カバーに設けられ、原稿を自動搬送するオートドキュメントフィーダ機構と、
を備え、
前記オートドキュメントフィーダ機構の原稿挿入部は、前記原稿カバーの鉛直方向上面における前記排出部から排出されたシートが載置可能な領域に対して、前記幅方向一端側にずれた位置に設けられていることを特徴とする画像形成装置。
【請求項２】
画像が形成されたシートを前記排出部に向けて排出する排紙ローラを備えており、
前記原稿カバーが前記第１位置にあるときには、前記原稿カバーの鉛直方向上面は、前記排紙ローラより鉛直方向上方側に位置することを特徴とする請求項１に記載の画像形成装置。
【請求項３】
前記排出部のうち前記排出方向下流側には、当該排出方向下流側に向かうほど前記原稿カバーの鉛直方向上面に近づくように水平方向に対して傾斜した傾斜面が設けられていることを特徴とする請求項１又は２に記載の画像形成装置。
【請求項４】
前記第１壁部を含む仮想平面を第１仮想面とし、及び前記第２壁部を含む仮想平面を第２仮想面としたとき、
前記原稿カバーの鉛直方向上面のうち、少なくとも前記第１仮想面と前記第２仮想面とで挟まれた領域は、水平方向に拡がる平板状であることを特徴とする請求項１ないし３のいずれか１項に記載の画像形成装置。
【請求項５】
前記撮像部の副走査方向は、前記幅方向と平行であることを特徴とする請求項１ないし４のいずれか１項に記載の画像形成装置。
【請求項６】
前記原稿挿入部を覆う第３位置と当該第３位置からずれた第４位置との間で変位可能な開閉カバーを備え、
前記開閉カバーには、当該開閉カバーが前記第４位置にあるときに原稿が載置可能となる原稿載置部が設けられていることを特徴とする請求項１ないし５のいずれか１項に記載の画像形成装置。
【請求項７】
前記オートドキュメントフィーダ機構の原稿排出部は、前記排出部に対して前記幅方向一端側又は当該幅方向他端側にずれた位置に設けられていることを特徴とする請求項１ないし６のいずれか１項に記載の画像形成装置。
【請求項８】
前記原稿カバーを揺動可能に装置本体に組み付けるヒンジを備え、
前記ヒンジは、前記排出部側に設けられていることを特徴とする請求項１ないし７のいずれか１項に記載の画像形成装置。
【請求項９】
前記原稿カバーが前記第２位置にあるときに、当該原稿カバーと前記原稿台とのなす角を９０度以下に規制する規制部を備えることを特徴とする請求項８に記載の画像形成装置。
【請求項１０】
前記傾斜面の鉛直方向上端側に設けられ、前記原稿カバーを揺動可能に装置本体に組み付ける第１ヒンジと、
鉛直方向上面に前記傾斜面が設けられ、当該傾斜面の鉛直方向下端側に設けられた第２ヒンジを介して装置本体に揺動可能に組み付けられた排紙カバーであって、前記原稿カバーの揺動と機械的に連動して揺動する排紙カバーと
を備えることを特徴とする請求項３に記載の画像形成装置。
【請求項１１】
外観意匠面を構成する筐体カバーと、
前記筐体カバーに覆われ、シートに画像を形成するプリンタ部と、
前記筐体カバーの鉛直方向上面側に設けられ、当該上面から鉛直方向下方側に窪むとともに画像が形成されたシートが排出される排出部であって、排出されるシートの排出方向及び当該シートの厚み方向と直交する幅方向において、空間を隔てて互いに対向した第１壁部及び第２壁部を有する排出部と、
前記排出部より前記排出方向下流側に設けられ、原稿が載置可能な原稿台及び当該原稿台に載置された原稿を読み取る撮像部を有するスキャナ部と、
前記排出部の前記第１壁部及び前記第２壁部より前記排出方向下流側に設けられ、前記原稿台を鉛直方向上側から覆う第１位置と当該第１位置からずれた第２位置との間で揺動可能な原稿カバーであって、前記第１位置にあるときには、鉛直方向上面が前記排出部から排出されたシートが載置可能な状態となる原稿カバーと、
前記幅方向において、前記排出部のうち前記第１壁部と前記第２壁部との間に設けられ、前記排出方向下流側に向かうほど前記原稿カバーの鉛直方向上面に近づくように水平方向に対して傾斜した傾斜面が鉛直方向上面に設けられた排紙カバーと、
前記傾斜面の前記排出方向下流側に設けられ、前記原稿カバーを揺動可能に装置本体に組み付ける第１ヒンジと、
前記傾斜面の前記排出方向上流側に設けられ、前記排紙カバーを揺動可能に装置本体に組み付ける第２ヒンジと、
を備え、
前記排紙カバーの前記排出方向下流端部は、前記原稿カバーの鉛直方向上面に接触可能であり、
前記原稿カバーの鉛直方向上面において、前記排紙カバーの前記排出方向下流端部との接触領域は、当該接触領域よりも前記排出方向下流の領域に対して鉛直方向下方に位置することを特徴とする画像形成装置。
【発明の詳細な説明】
【技術分野】
【０００１】
本発明は、プリンタ部及びスキャナ部を備える画像形成装置に関する。
【背景技術】
【０００２】
例えば、特許文献１に記載の画像形成装置では、プリンタ部の鉛直方向上部に、静置した原稿を読み取るスキャナ部が設けられている。そして、画像が形成されたシートは、スキャナ部の原稿カバーの鉛直方向上面に排出される。
【先行技術文献】
【特許文献】
【０００３】
【特許文献１】特開２００７−１５５７９３号公報
【発明の概要】
【発明が解決しようとする課題】
【０００４】
特許文献１に記載の発明では、原稿カバーは揺動可能に装置本体に組み付けられている。このため、原稿カバー上にシートが排出されたままの状態で原稿カバーが利用者により持ち上げられると、当該シートが画像形成装置から落下してしまおそれがある。
【０００５】
本発明は、上記点に鑑み、原稿カバーの上に画像が形成されたシートが排出される画像形成装置において、原稿カバーが揺動したときであってもシートが画像形成装置から落下してしまうことを抑制する。
【課題を解決するための手段】
【０００６】
本願では、外観意匠面を構成する筐体カバー（６）と、筐体カバー（６）に覆われ、シートに画像を形成するプリンタ部（３）と、筐体カバー（６）の鉛直方向上面側に設けられ、当該上面（６Ａ）から鉛直方向下方側に窪むとともに画像が形成されたシートが排出される排出部（７）であって、排出されるシートの排出方向及び当該シートの厚み方向と直交する幅方向において、空間を隔てて互いに対向した第１壁部（７Ｂ）及び第２壁部（７Ｃ）を有する排出部（７）と、排出部（７）より排出方向下流側に設けられ、原稿が載置可能な原稿台（５Ａ）及び当該原稿台（５Ａ）に載置された原稿を読み取る撮像部（５Ｂ）を有するスキャナ部（５）と、排出部（７）より排出方向下流側に設けられ、原稿台（５Ａ）を鉛直方向上側から覆う第１位置と当該第１位置からずれた第２位置との間で揺動可能な原稿カバー（１１）であって、第１位置にあるときには、鉛直方向上面（６Ａ）が排出部（７）から排出されたシートが載置可能な状態となる原稿カバー（１１）とを備える。
【０００７】
そして、本願では、排出部（７）が鉛直方向下方側に窪んだ形状に構成され、かつ、排出部（７）の幅方向両端側それぞれに第１壁部（７Ｂ）及び第２壁部（７Ｃ）が設けられているので、原稿カバー（１１）が利用者により持ち上げられた場合であって、排出部（７）に排出されたシートの排出方向上流端側が排出部（７）に嵌り込んだ状態となる。したがって、シートが画像形成装置から落下し難くなる。
【０００８】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【０００９】
【図１】本発明の第１実施形態に係る画像形成装置１の外観斜視図である。
【図２】本発明の第１実施形態に係る画像形成装置１において、原稿カバー１１が開かれたときの外観斜視図である。
【図３】本発明の第１実施形態に係る画像形成装置１の外観斜視図である。
【図４】Ａ及びＢは本発明の第１実施形態に係る画像形成装置１において、原稿カバー１１の変位を示す図である。
【図５】Ａ及びＢは規制部１３Ａ及び軸部１３Ｂ等の作動説明図である。
【図６】Ａ及びＢは本発明の第２実施形態に係る画像形成装置１において、原稿カバー１１の変位を示す図である。
【図７】本発明の第３実施形態に係る画像形成装置１の外観斜視図である。
【図８】Ａ〜Ｄは、本発明の第３実施形態に係るオートドキュメントフィーダ機構１５の説明図である。
【図９】Ａ及びＢは、本発明の第４実施形態に係るオートドキュメントフィーダ機構１５の説明図である。
【発明を実施するための形態】
【００１０】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１１】
以下、本発明の実施形態を図面と共に説明する。なお、各図に付された方向を示す矢印等は、各図相互の関係を理解し易くするために記載したものである。本発明は、各図に付された方向に限定されるものではない。
【００１２】
少なくとも符号を付して説明した部材又は部位は、「複数」や「２つ以上」等の断りをした場合を除き、少なくとも１つ設けられている。
（第１実施形態）
１．画像形成装置の構成
本実施形態は、フラットベット方式のスキャナ部と電子写真方式のプリンタ部とを備える画像形成装置に本発明を適用したものである。
【００１３】
画像形成装置１は、図１及び図２に示すように、プリンタ部３及びスキャナ部５等を備える。プリンタ部３はシートに画像を形成する画像形成機構である。当該プリンタ部３は、筐体カバー６によって覆われている。筐体カバー６は、画像形成装置１の外観意匠面を構成する樹脂製の部材である。
【００１４】
筐体カバー６の鉛直方向上面６Ａ側に、図３に示すように、当該上面６Ａから鉛直方向下方側に窪んだ排出部７が設けられている。幅方向とは、排出されるシートの排出方向及び当該シートの厚み方向と直交する方向である。なお、本実施形態における幅方向は、画像形成装置１の左右方向と一致する。
【００１５】
排出部７は、図４Ａに示すように、画像が形成されたシートが排出される部位である。排出部７のうち上面６Ａより鉛直方向下方側に部位には、排出口７Ａ、第１壁部７Ｂ及び第２壁部７Ｃ（図３参照）、並びに傾斜面７Ｄが設けられている。
【００１６】
排出口７Ａは、排出部７（傾斜面７Ｄ）に向けて画像が形成されたシートを排出するための開口である。本実施形態に係る排出口７Ａは、排出部７の排出方向上流側、つまり排出部７の後方側に設けられて幅方向に延びる開口である。
【００１７】
排出口７Ａよりシート搬送方向上流側には、一対の排紙ローラ９が設けられている。一対の排紙ローラ９は、画像が形成されたシートを排出部７（傾斜面７Ｄ）に向けて排出するための搬送力を当該シートに与える。
【００１８】
各排紙ローラ９は、幅方向に延びるシャフト、及び当該シャフトに支持されてシートに接触するローラ部等を有している。第１壁部７Ｂ及び第２壁部７Ｃは、図３に示すように、空間を隔てて幅方向において互いに対向した壁部である。
【００１９】
そして、第１壁部７Ｂと第２壁部７Ｃとを隔てる寸法は、排出口７Ａの幅方向寸法と同一又は当該寸法より大きい寸法である。なお、本実施形態では、第１壁部７Ｂ及び第２壁部７Ｃの壁面は幅方向と直交している。
【００２０】
傾斜面７Ｄは、排出部７のうち排出方向下流側、つまり排出部７の前方側に設けられている。当該傾斜面７Ｄは、図４Ａに示すように、排出方向下流側、つまり前方側に向かうほど原稿カバー１１の鉛直方向上面１１Ａに近づくように水平方向に対して傾斜している。
【００２１】
なお、以下、傾斜面７Ｄが設けられた部材を排紙カバー７Ｅという。つまり、排紙カバー７Ｅの鉛直方向上面に傾斜面７Ｄが設けられている。傾斜面７Ｄ、つまり排紙カバー７Ｅの鉛直方向下端側は、図４Ｂに示すように、第２ヒンジ７Ｆを介して装置本体に揺動可能に組み付けられている。
【００２２】
装置本体とは、筐体カバー６やフレーム（図示せず。）等の通常使用時において利用者が分解等をしない部位をいう。本実施形態に係る第２ヒンジ７Ｆは、筐体カバー６のうち上面６Ａを構成する部材に組み付けられている。
【００２３】
スキャナ部５は、図４Ａに示すように、排出部７より排出方向下流側、つまり排出部７より前方側に設けられている。当該スキャナ部５は、図２に示すように、少なくとも原稿台５Ａ及び撮像部５Ｂ等を備えている。
【００２４】
原稿台５Ａは、原稿が載置可能な載置面（プラテン）を有する。載置面（プラテン）は、光が通過可能な透明な板状部材である。撮像部５Ｂは、原稿台５Ａ、つまり載置面（プラテン）に載置された原稿を読み取る。
【００２５】
具体的には、撮像部５Ｂは、原稿に照射されて反射した光を受光し、その受光した光に基づいて電気信号を発する。本実施形態では、撮像部５Ｂとして、ＣＩＳ（Contact Image Sensor）を用いている。当該ＣＩＳ（撮像部５Ｂ）の長手方向は、載置面３Ａの直下において、その移動方向と直交する方向に延びている。
【００２６】
なお、撮像部５Ｂの延び方向を走査方向といい、その移動方向を副走査方向という。本実施形態に係る主走査方向は、シートの排出方向、つまり前後方向と一致する。本実施形態に係る副走査方向は、幅方向と一致する。したがって、副走査方向は、シートの排出方向と直交する。
【００２７】
原稿カバー１１は、図１に示すように、第１壁部７Ｂ及び第２壁部７Ｃより排出方向下流側、つまり傾斜面７Ｄより前方側に設けられている。原稿カバー１１は、原稿台５Ａを鉛直方向上側から覆う第１位置（図４Ａ参照）と当該第１位置からずれた第２位置（図４Ｂ参照）との間で揺動可能である。
【００２８】
具体的には、原稿カバー１１は、図３に示すように、少なくとも１つの第１ヒンジ１３を介して揺動可能に装置本体に組み付けられている。本実施形態では、第１ヒンジ１３は、傾斜面７Ｄの鉛直方向上端側において、傾斜面７Ｄを挟んで幅方向両側それぞれに設けられている。
【００２９】
そして、原稿カバー１１が記第１位置にあるときにおいては、原稿カバー１１の鉛直方向上面１１Ａが排出部７から排出されたシートを載置可能な状態となる。つまり、原稿カバー１１が第１位置にあるとき、当該上面１１Ａは、図４Ａに示すように、排紙ローラ９より鉛直方向上方側に位置する。
【００３０】
「上面１１Ａが排紙ローラ９より鉛直方向上方側に位置する」とは、例えば、排紙ローラ９とシートとの接触部より上面１１Ａが鉛直方向上方側に位置する場合等をいう。なお、本実施形態では、鉛直方向において、傾斜面７Ｄの上端と当該上面１１Ａとは略同一の位置（高さ）に位置する。
【００３１】
さらに、図３に示すように、原稿カバー１１の鉛直方向上面１１Ａのうち、少なくとも第１仮想面Ｓ１と第２仮想面Ｓ２とで挟まれた領域Ｗ１は、原稿カバー１１が第１位置にあるときに、水平方向に拡がる平板状となっている。
【００３２】
したがって、原稿カバー１１が第１位置にあるとき、つまり原稿カバー１１により原稿台５Ａが覆われた状態においては、領域Ｗ１は排紙カバー７Ｅと共に排出部７に排出されたシートが載置される排紙トレイとして機能する。
【００３３】
第１仮想面Ｓ１とは、第１壁部７Ｂを含む仮想平面である。第２仮想面Ｓ２とは、第２壁部７Ｃを含む仮想平面である。つまり、第１仮想面Ｓ１と第２仮想面Ｓ２とは、傾斜面７Ｄ（排紙カバー７Ｅ）を挟んで幅方向両端それぞれに位置する仮想の鉛直面である。
【００３４】
原稿カバー１１と原稿台５Ａとのなす角θ（図４Ｂ参照）は、図５Ａに示す規制部１３Ａによって９０度以下に規制されている。すなわち、各第１ヒンジ１３には、原稿カバー１１と一体的に回転する軸部１３Ｂが設けられている。軸部１３Ｂは、断面が一部欠けた円形（本実施形態では、半月状）である。
【００３５】
規制部１３Ａは、装置本体のうち各軸部１３Ｂと接触可能な位置それぞれに設けられている。そして、原稿カバー１１が第２位置となり、上記角度θが略９０度となると、図５Ｂに示すように、規制部１３Ａに軸部１３Ｂが接触するため、原稿カバー１１の揺動変位が規制される。なお、図５Ａは、原稿カバー１１が第１位置にあるときの規制部１３Ａ及び軸部１３Ｂの状態を示す。
【００３６】
２．本実施形態に係る画像形成装置の特徴
本実施形態では、排出部７が鉛直方向下方側に窪んだ形状に構成され、かつ、排出部７の幅方向両端側それぞれに第１壁部７Ｂ及び第２壁部７Ｃが設けられている。これにより、原稿カバー１１が利用者により持ち上げられた場合であって、排出部７に排出されたシートの排出方向上流端側が排出部７に嵌り込んだ状態となる。したがって、シートが画像形成装置から落下し難くなる。
【００３７】
本実施形態に係る原稿カバー１１の鉛直方向上面１１Ａは、原稿カバー１１が第１位置にあるとき、一対の排紙ローラ９がシートと接触する位置より鉛直方向上方側に位置する。これにより、本実施形態では、排出部７に排出されたシートを上面１１Ａに容易に導くことが可能となる。
【００３８】
本実施形態では、排出部７のうち排出方向下流側には、当該排出方向下流側に向かうほど原稿カバー１１の鉛直方向上面１１Ａに近づくように水平方向に対して傾斜した傾斜面７Ｄが設けられている。これにより、排出部７に排出されたシートを確実に上面１１Ａに導くことが可能となる。
【００３９】
本実施形態では、原稿カバー１１の鉛直方向上面１１Ａは、水平方向に拡がる平板状である。これにより、原稿カバー１１の鉛直方向上面１１Ａを排紙トレイの一部として機能させることが可能となる。
【００４０】
本実施形態では、撮像部５Ｂの副走査方向は幅方向と平行である。これにより、排出方向、つまり前後方向に画像形成装置１が大型化することを抑制できる。すなわち、通常、フラットベット方式のスキャナ部５は、副走査方向寸法が主走査方向寸法より大きくなる。したがって、副走査方向が幅方向と平行であれば、前後方向に画像形成装置１が大型化することを抑制できる。
【００４１】
本実施形態では、原稿カバー１１が第２位置にあるときに、当該原稿カバー１１と原稿台５Ａとのなす角を９０度以下に規制する規制部１３Ａを備える。これにより、原稿カバー１１が過度に開くことを抑制できる。したがって、第２位置にある原稿カバー１１によってシートの排出が阻害されることを抑制できる。
【００４２】
（第２実施形態）
本実施形態は、図６Ａに示すように、排紙カバー７Ｅが原稿カバー１１の揺動と連動して揺動する構成としたものである。なお、上述の実施形態と同一の構成要件等は、上述の実施形態と同一の符号を付したので、重複する説明は省略する。
【００４３】
すなわち、原稿カバー１１が第１位置にある場合において（図６Ｂ参照）、排紙カバー７Ｅの上端部分が第１ヒンジ１３を越えて原稿カバー１１まで延び、かつ、当該上端部分が原稿カバー１１の鉛直方向上面１１Ａに滑り接触可能に接触している。
【００４４】
このため、利用者により、原稿カバー１１が鉛直方向上側に揺動させられると、排紙カバー７Ｅの上端部分が原稿カバー１１の上面１１Ａにより鉛直方向上向きに押圧されるため、原稿カバー１１の鉛直方向上向きの揺動変位に連動して、排紙カバー７Ｅが鉛直方向上向きに揺動変位する。
【００４５】
原稿カバー１１が第２位置から第１位置に揺動変位すると、排紙カバー７Ｅの上端部分を鉛直方向上向きに押圧する力が消失すため、排紙カバー７Ｅに作用する重力により排紙カバー７Ｅが鉛直方向下向きに揺動変位する。
【００４６】
つまり、原稿カバー１１の鉛直方向下向きの揺動変位に連動して、排紙カバー７Ｅが鉛直方向下向きに揺動変位する。以上のように、本実施形態では、原稿カバー１１の揺動と連動させて排紙カバー７Ｅを揺動させることができる。
【００４７】
本実施形態では、原稿カバー１１が規制部１３Ａにより揺動が規制された状態であっても、利用者は、排紙カバー７Ｅを更に鉛直方向上向きに揺動変位させることができる。さらに、原稿カバー１１が第１位置にある場合に、利用者は排紙カバー７Ｅのみを鉛直方向上向きに揺動変位させることもできる。
【００４８】
なお、図６Ａに示す例では、排紙カバー７Ｅの上端部分が第１ヒンジ１３を越えて原稿カバー１１まで延び、かつ、当該上端部分が原稿カバー１１の鉛直方向上面１１Ａに滑り接触可能な構成とすることにより、排紙カバー７Ｅが原稿カバー１１の揺動と連動して揺動する構成としたものであった。しかし、本発明はこれに限定されるものではなく、例えば、リンク機構を用いて排紙カバー７Ｅと原稿カバー１１と連動させてもよい。
【００４９】
（第３実施形態）
本実施形態は、図７に示すように、オートドキュメントフィーダ機構１５を設けたものである。オートドキュメントフィーダ機構１５は、読取対象である原稿を撮像部５Ｂ等の読取部が設けられた部位に自動搬送し、かつ、読み取り終了した原稿を当該読取部から自動排出する機構である。
【００５０】
本実施形態に係るオートドキュメントフィーダ機構１５の原稿挿入部１５Ａ及び原稿排出部１５Ｂは、排出部７に対して幅方向一端側にずれた位置に設けられている。
具体的には、原稿挿入部１５Ａ及び原稿排出部１５Ｂは、原稿カバー１１の鉛直方向上面１１Ａのうち、第１仮想面Ｓ１と第２仮想面Ｓ２とで挟まれた領域Ｗ１に対して幅方向一端（図７では左側）にずれた位置に設けられている。
【００５１】
開閉カバー１５Ｃは、原稿挿入部１５Ａ及び原稿排出部１５Ｂを覆う第３位置と当該第３位置からずれた第４位置（図７で示す位置）との間で変位可能である。本実施形態に係る開閉カバー１５Ｃは、原稿カバー１１の幅方向一端側を揺動中心として、第３位置と第４位置との間で揺動変位可能である。
【００５２】
そして、開閉カバー１５Ｃには、当該開閉カバー１５Ｃが第４位置にあるときに原稿が載置可能となる原稿載置部１５Ｄが設けられている。原稿載置部１５Ｄは、開閉カバー１５Ｃが第４位置にあるとき、鉛直方向上方側に面する部位、つまり、開閉カバー１５Ｃが第３位置にあるとき鉛直方向下方側に向いて原稿挿入部１５Ａ及び原稿排出部１５Ｂと面する部位である。
【００５３】
本実施形態に係るオートドキュメントフィーダ機構１５は、原稿載置部１５Ｄに複数枚の原稿が載置された場合には、それら原稿を１枚に分離して１枚ずつ自動搬送する。なお、上述の実施形態と同一の構成要件等は、上述の実施形態と同一の符号を付したので、重複する説明は省略する。
【００５４】
以上のように、本実施形態では、原稿挿入部１５Ａ及び原稿排出部１５Ｂが領域Ｗ１に対して幅方向にずれた位置に設けられているので、排出部７に排出されたシートと読取対象となる原稿とが干渉してしまうことを抑制できる。
【００５５】
さらに、開閉カバー１５Ｃに原稿載置部１５Ｄが設けられているので、当該開閉カバー１５Ｃを原稿トレイとして利用できるとともに、複数枚の原稿をオートドキュメントフィーダ機構１５にて自動搬送できる。
【００５６】
（第４実施形態）
本実施形態は、第３実施形態の変形例である。なお、上述の実施形態と同一の構成要件等は、上述の実施形態と同一の符号を付したので、重複する説明は省略する。
【００５７】
具体的には、本実施形態は、図８Ａ〜図８Ｄに示すように、第３実施形態に対して原稿挿入部１５Ａ及び原稿排出部１５Ｂの位置が異なる。図８Ａ〜図８Ｄの「ＩＮ」は原稿挿入部１５Ａを示す。図８Ａ〜図８Ｄの「ＯＵＴ」は原稿排出部１５Ｂを示す。
【００５８】
なお、第３実施形態及び本実施形態に係る原稿挿入部１５Ａ及び原稿排出部１５Ｂは、領域Ｗ１に対して幅方向一端（左側）にずれた位置に設けられている。しかし、原稿挿入部１５Ａ及び原稿排出部１５Ｂが領域Ｗ１に対して幅方向他端（右側）にずれた位置に設けられていてもよい。
【００５９】
（第５実施形態）
本実施形態も第３実施形態の変形例である。なお、上述の実施形態と同一の構成要件等は、上述の実施形態と同一の符号を付したので、重複する説明は省略する。
【００６０】
具体的には、本実施形態は、図９Ａ及び図９Ｂに示すように、第３実施形態に対して原稿挿入部１５Ａ及び原稿排出部１５Ｂの位置が異なる。図９Ａ及び図９Ｂの「ＩＮ」は原稿挿入部１５Ａを示す。図９Ａ及び図９Ｂの「ＯＵＴ」は原稿排出部１５Ｂを示す。
【００６１】
なお、図９Ａ及び図９Ｂでは、原稿挿入部１５Ａが領域Ｗ１に対して幅方向一端（左側）にずれた位置に設けられ、原稿排出部１５Ｂが領域Ｗ１に対して幅方向他端（右側）にずれた位置に設けられている。
【００６２】
しかし、原稿排出部１５Ｂが領域Ｗ１に対して幅方向一端（左側）にずれた位置に設けられ、原稿挿入部１５Ａが領域Ｗ１に対して幅方向他端（右側）にずれた位置に設けられていてもよい。
【００６３】
（その他の実施形態）
上述の実施形態にプリンタ部３は電子写真方式であった。しかし、本発明はこれに限定されるものではなく、例えば、インクジェット方式であってもよい。
【００６４】
上述の実施形態では、原稿カバー１１が第１位置にあるときには、原稿カバー１１の鉛直方向上面１１Ａは、一対の排紙ローラ９より鉛直方向上方側に位置していたが、本発明はこれに限定されるものではない。
【００６５】
上述の実施形態では、原稿カバー１１の鉛直方向上面１１Ａのうち、少なくとも第１仮想面Ｓ１と第２仮想面Ｓ２とで挟まれた領域は、水平方向に拡がる平板状であった。しかし、本発明はこれに限定されるものではなく、例えば、（１）当該領域が前方側に向かうほど低くなる傾斜面、又は（２）凹凸等が設けられた凹凸面であってもよい。
【００６６】
上述の実施形態では、撮像部５Ｂの副走査方向が幅方向と平行であった。しかし、本発明はこれに限定されるものではない。
上述の実施形態では、オートドキュメントフィーダ機構１５の原稿挿入部１５Ａは、排出部７に対して幅方向一端側にずれた位置に設けられていた。しかし、本発明はこれに限定されるものではない。
【符号の説明】
【００６７】
１… 画像形成装置  ３… プリンタ部  ３Ａ… 載置面  ５… スキャナ部
５Ａ… 原稿台  ５Ｂ… 撮像部  ６… 筐体カバー  ７… 排出部
７Ａ… 排出口  ７Ｂ… 第１壁部  ７Ｃ… 第２壁部  ７Ｄ… 傾斜面
７Ｅ… 排紙カバー  ７Ｆ… 第２ヒンジ  ９… 排紙ローラ
１１… 原稿カバー  １３… 第１ヒンジ  １３Ａ… 規制部  １３Ｂ… 軸部
【図１】
0006638491.tif 000002
【図２】
0006638491.tif 000003
【図３】
0006638491.tif 000004
【図４】
0006638491.tif 000005
【図５】
0006638491.tif 000006
【図６】
0006638491.tif 000007
【図７】
0006638491.tif 000008
【図８】
0006638491.tif 000009
【図９】
0006638491.tif 000010